(57)【要約】      （修正有）【課題】音声再生の効果がさらに自然で、リアルになり、イヤホンを利用するユーザの左耳及び右耳は真実環境にいるような聴音効果を得ることができるイヤホンを提供する。【解決手段】イヤホンは、左受話器１０、右受話器２０、左右チャンネルオーディオ入力端子５１及び５２、第一分周器７１及び第二分周器７２を備え、左受話器の内部には、メイン左スピーカー１１が設けられ、右受話器の内部には、メイン右スピーカー２１が設けられ、前記イヤホンは、サブ左スピーカー１２、サブ右スピーカー２２、第三分周器７３及び第四分周器７４をさらに備え、第三分周器は、サブ右スピーカーに電気的に接続されて、左チャンネルオーディオ入力端子からのオーディオ信号を分周した後に、オーディオ信号をサブ右スピーカーに伝送し、第四分周器は、サブ左スピーカーに電気的に接続されて、右チャンネルオーディオ入力端子からのオーディオ信号を分周した後に、それをサブ左スピーカーに伝送する。【選択図】図２
0003211273.tif 000002
【実用新案登録請求の範囲】
【請求項１】
左受話器、右受話器、音源入力端子、第一分周器及び第二分周器を備え、前記左受話器の内部には、メイン左スピーカーが設けられ、前記右受話器の内部には、メイン右スピーカーが設けられ、前記音源入力端子は、左チャンネルオーディオ入力端子及び右チャンネルオーディオ入力端子を含み、前記左チャンネルオーディオ入力端子は、前記第一分周器を介して前記メイン左スピーカーに電気的に接続され、前記右チャンネルオーディオ入力端子は、前記第二分周器を介して前記メイン右スピーカーに電気的に接続されるイヤホンであって、
前記イヤホンは、サブ左スピーカー、サブ右スピーカー、第三分周器及び第四分周器をさらに備え、前記サブ左スピーカーは、前記左受話器内に設けられ、前記サブ右スピーカーは、前記右受話器内に設けられ、前記第三分周器は、前記サブ右スピーカーに電気的に接続されて、前記左チャンネルオーディオ入力端子からのオーディオ信号を分周した後に、前記オーディオ信号を前記サブ右スピーカーに伝送し、
前記第四分周器は、前記サブ左スピーカーに電気的に接続されて、前記右チャンネルオーディオ入力端子からのオーディオ信号を分周した後に、それを前記サブ左スピーカーに伝送することを特徴とするイヤホン。
【請求項２】
左スイッチ及び右スイッチをさらに備え、前記左スイッチは、前記左チャンネルオーディオ入力端子と前記第三分周器との間に電気的に接続されて、前記サブ右スピーカーの起動を制御し、
前記右スイッチは、前記右チャンネルオーディオ入力端子と前記第四分周器との間に電気的に接続されて、前記サブ左スピーカーの起動を制御することを特徴とする請求項１に記載のイヤホン。
【請求項３】
デュアルチャンネル切換器をさらに備え、前記デュアルチャンネル切換器は、前記左スイッチ及び前記右スイッチに電気的に接続されて、前記左スイッチ及び前記右スイッチのオン／オフを同時に制御することを特徴とする請求項２に記載のイヤホン。
【請求項４】
前記左受話器内には、第一導管及び第二導管がさらに設けられ、前記第一導管は、前記メイン左スピーカーと前記左受話器の外面との間に設けられて、前記メイン左スピーカーが発生したオーディオ信号を前記左受話器の外部へ導出し、前記第二導管は、前記サブ左スピーカーと前記左受話器の外面との間に設けられて、前記サブ左スピーカーが発生したオーディオ信号を前記左受話器の外部へ導出し、
前記第二導管の長さは、前記第一導管の長さのＮ倍であり、前記Ｎは、１より大きい又は１に等しい数字であることを特徴とする請求項１に記載のイヤホン。
【請求項５】
前記右受話器内には、第三導管及び第四導管がさらに設けられ、前記第三導管は、前記メイン右スピーカーと前記右受話器の外面との間に設けられて、前記メイン右スピーカーが発生したオーディオ信号を前記右受話器の外部へ導出し、前記第四導管は、前記サブ右スピーカーと前記右受話器の外面との間に設けられて、前記サブ右スピーカーが発生したオーディオ信号を前記右受話器の外部へ導出し、
前記第四導管の長さは、前記第三導管の長さのＮ倍であり、前記Ｎは、１より大きい又は１に等しい数字であることを特徴とする請求項１に記載のイヤホン。
【請求項６】
左オーディオ接続線及び右オーディオ接続線をさらに備え、前記第一分周器及び前記第三分周器は、前記左オーディオ接続線内に設けられ、前記第二分周器及び前記第四分周器は、前記右オーディオ接続線内に設けられることを特徴とする請求項１に記載のイヤホン。
【考案の詳細な説明】
【技術分野】
【０００１】
本考案は、イヤホンに関するものである。
【背景技術】
【０００２】
従来のステレオイヤホンにとって、音声再生（ｐｌａｙｂａｃｋ）及びユーザを取り巻く環境に起因して、ユーザがステレオイヤホンで聞こえた声は、簡単な音声又は複雑な音楽であることにかかわらず、何れも「頭の中の効果」及び「スーパーステレオ」等の現象が現れる。それによって、ユーザは、音楽の内容が異常である又は声音が頭の上に集中する等の不自然な感覚が発生する。これは、イヤホンの音声再生原理によって引き起こされる。
【０００３】
従来のステレオイヤホンの左チャンネル及び右チャンネルは、分けられてそれぞれ独立しており、且つ頭（頭の真ん中から耳まで約９０度の位置）の両側に位置する。ユーザがイヤホンを着用した後、一般のステレオオーディオファイルの左チャンネル及び右チャンネルの信号は、完全に分けられて独立される。即ち、左受話器が発声する時に、ユーザの左耳のみ声を聞こえ、右耳は完全に消音する。その逆も同様である。これにより、ユーザは音場が非常に広く、位置づけが変である音楽効果を得る。最も一般的な情況は、目の前の所定範囲内に存在すべき音は、頭の上及び極左／極右耳栓に出る。人々は、真実な環境下でこのような変な声音分布を感じ難く、イヤホンを利用する場合こそそれを感じられる。また、一部のユーザは、長期間又は常にこのような音声効果を聞くため、めまいや不快感を感じ、イヤホンを嫌くなる。
【０００４】
聴力が正常な人にとって、現実の環境で音を聞く時に、左耳及び右耳は同時に動作するため、音はどこから発せられるに関わらず、実際に左耳及び右耳は同時にこの音を聞こえる。これは、人間の生まれつきの聴覚習慣及び声音に対する位置決めする能力である。例えば、音は左から発せられる場合、人の右耳も同時に音を接収している。しかし、音は、左耳から右耳まで伝送される時に、距離、人の頭、顔、髪及び上半身等により影響されて、声音が遅延される又は減衰する。この現象は、「ヘッド伝送効果」と略称される。
【０００５】
一般的なイヤホンは、上記の問題を克服することができないので、人々はイヤホンを利用して音を聞く場合と現実環境で音を聞く場合との間には、本質的な違いが存在する。そこで、従来のイヤホンの聴音効果は、非常に不自然で、不真実になる。
【考案の概要】
【考案が解決しようとする課題】
【０００６】
本考案は、上記の問題点に鑑みてなされたものであり、音声再生の効果がさらに自然的で、リアルになり、イヤホンを利用するユーザの左耳及び右耳は真実環境にいるような聴音効果を得ることができるイヤホンを提供することを目的とする。
【課題を解決するための手段】
【０００７】
上記の課題を解決するために、本考案に係るイヤホンは、左受話器、右受話器、音源入力端子、第一分周器及び第二分周器を備え、前記左受話器の内部には、メイン左スピーカーが設けられ、前記右受話器の内部には、メイン右スピーカーが設けられ、前記音源入力端子は、左チャンネルオーディオ入力端子及び右チャンネルオーディオ入力端子を含み、前記左チャンネルオーディオ入力端子は、前記第一分周器を介して前記メイン左スピーカーに電気的に接続され、前記右チャンネルオーディオ入力端子は、前記第二分周器を介して前記メイン右スピーカーに電気的に接続され、前記イヤホンは、サブ左スピーカー、サブ右スピーカー、第三分周器及び第四分周器をさらに備え、前記サブ左スピーカーは、前記左受話器内に設けられ、前記サブ右スピーカーは、前記右受話器内に設けられ、前記第三分周器は、前記サブ右スピーカーに電気的に接続されて、前記左チャンネルオーディオ入力端子からのオーディオ信号を分周した後に、前記オーディオ信号を前記サブ右スピーカーに伝送し、前記第四分周器は、前記サブ左スピーカーに電気的に接続されて、前記右チャンネルオーディオ入力端子からのオーディオ信号を分周した後に、それを前記サブ左スピーカーに伝送する。
【０００８】
また、前記イヤホンは、左スイッチ及び右スイッチをさらに備え、前記左スイッチは、前記左チャンネルオーディオ入力端子と前記第三分周器との間に電気的に接続されて、前記サブ右スピーカーの起動を制御し、前記右スイッチは、前記右チャンネルオーディオ入力端子と前記第四分周器との間に電気的に接続されて、前記サブ左スピーカーの起動を制御する。
【０００９】
また、前記イヤホンは、デュアルチャンネル切換器をさらに備え、前記デュアルチャンネル切換器は、前記左スイッチ及び前記右スイッチに電気的に接続されて、前記左スイッチ及び前記右スイッチのオン／オフを同時に制御する。
【００１０】
また、前記左受話器内には、第一導管及び第二導管がさらに設けられ、前記第一導管は、前記メイン左スピーカーと前記左受話器の外面との間に設けられて、前記メイン左スピーカーが発生したオーディオ信号を前記左受話器の外部へ導出し、前記第二導管は、前記サブ左スピーカーと前記左受話器の外面との間に設けられて、前記サブ左スピーカーが発生したオーディオ信号を前記左受話器の外部へ導出し、前記第二導管の長さは、前記第一導管の長さのＮ倍であり、前記Ｎは、１より大きい又は１に等しい数字である。
【００１１】
また、前記右受話器内には、第三導管及び第四導管がさらに設けられ、前記第三導管は、前記メイン右スピーカーと前記右受話器の外面との間に設けられて、前記メイン右スピーカーが発生したオーディオ信号を前記右受話器の外部へ導出し、前記第四導管は、前記サブ右スピーカーと前記右受話器の外面との間に設けられて、前記サブ右スピーカーが発生したオーディオ信号を前記右受話器の外部へ導出し、前記第四導管の長さは、前記第三導管の長さのＮ倍であり、前記Ｎは、１より大きい又は１に等しい数字である。
【００１２】
また、左オーディオ接続線及び右オーディオ接続線をさらに備え、前記第一分周器及び前記第三分周器は、前記左オーディオ接続線内に設けられ、前記第二分周器及び前記第四分周器は、前記右オーディオ接続線内に設けられる。
【考案の効果】
【００１３】
従来の技術に比べて、本考案は、イヤホンの左受話器内でサブ左スピーカーを増加すると共に、イヤホンの右受話器内でサブ右スピーカーを増加して、前記サブ左スピーカー及び前記サブ右スピーカーを利用して分周された後のオーディオ信号を還元する。ユーザは、左受話器及び右受話器を同時に耳に着用して、一般的なオーディオファイルを再生する時に、分周器により処理された後の音はそれぞれ左右の受話器内で発生し、人が正常環境にいる聴音特性を模擬したので、ユーザは空前のリアルで、自然な聴覚感受を体験することができる。即ち、イヤホンが出した音は、自然な声のように耳の中に入って、頭の上に現れなく、且つ非常に広くて大げさにならなく、目の前の所定範囲内に存在するように自然に聞き取られる。
【図面の簡単な説明】
【００１４】
【図１】本考案の実施形態に係るイヤホンの全体構造を示す図である。
【図２】図１に示すイヤホンの内部回路のモジュールの接続図である。
【図３】図１に示すイヤホンの左受話器の内部構造を示す図である。
【図４】図１に示すイヤホンの右受話器の内部構造を示す図である。
【考案を実施するための形態】
【００１５】
以下、図面を参照しながら、本考案の実施形態について詳細に説明する。
【００１６】
図１〜図４に示すように、本考案の具体的な実施形態に係るイヤホン１００は、左受話器１０と、右受話器２０と、音源入力端子５０と、第一分周器（Ｄｉｖｉｄｅｒ）７１と、第二分周器７２と、第三分周器７３と、第四分周器７４と、を備える。
【００１７】
本実施形態において、前記イヤホン１００は、カナル型イヤホン（Ｉｎ−ｅａｒ  ｅａｒｐｈｏｎｅ）である。また、本考案の他の実施形態において、前記イヤホン１００は、ヘッドホンであっても良い。
【００１８】
左受話器１０内には、メイン左スピーカー１１及びサブ左スピーカー１２が設けられている。右受話器２０内には、メイン右スピーカー２１及びサブ右スピーカー２２が設けられている。
【００１９】
音源入力端子５０は、左チャンネルオーディオ入力端子５１及び右チャンネルオーディオ入力端子５２を含む。左チャンネルオーディオ入力端子５１は、第一分周器７１を介してメイン左スピーカー１１に電気的に接続される。右チャンネルオーディオ入力端子５２は、第二分周器７２を介してメイン右スピーカー２１に電気的に接続される。第三分周器７３は、サブ右スピーカー２２に電気的に接続される。第三分周器７３は、左チャンネルオーディオ入力端子５１から入力してきたオーディオ信号の周波数を分割した後に、それをサブ右スピーカー２２まで伝送する。第四分周器７４は、サブ左スピーカー１２に電気的に接続される。第四分周器７４は、右チャンネルオーディオ入力端子５２から入力してきたオーディオ信号の周波数を分割した後に、それをサブ左スピーカー１２まで伝送する。
【００２０】
本実施例において、イヤホン１００は、左オーディオ接続線３０及び右オーディオ接続線４０をさらに含む。第一分周器７１及び第三分周器７３は、左オーディオ接続線３０内に設けられている。第二分周器７２及び第四分周器７４は、右オーディオ接続線４０内に設けられている。
【００２１】
また、他の実施形態において、第一分周器７１及び第三分周器７３は、左受話器１０のキャビティ内に設けられても良い。第二分周器７２及び第四分周器７４は、右受話器２０のキャビティ内に設けられても良い。
【００２２】
このように、本考案のイヤホン１００は、左受話器１０の内部にサブ左スピーカー１２を増設すると共に、右受話器２０の内部にサブ右スピーカー２２を増設して、サブ右スピーカー２２及びサブ左スピーカー１２によって、第三分周器７３及び第四分周器７４が処理した後のオーディオ信号をそれぞれ還元する。ユーザは、左受話器１０と右受話器２０を同時に耳に着用する時に、一般的なオーディオファイルを再生する場合、左受話器１０及び右受話器２０の内部において、メイン左スピーカー１１及びメイン右スピーカー２１が出した音を除いて、第三分周器７３及び第四分周器７４により処理された後の音を増加したので、前記オーディオファイルの周波数は、メイン左スピーカー１１及びメイン右スピーカー２１が出した音の周波数と異なっている。即ち、左受話器１０内で右チャンネルオーディオ入力端子５２が入力したオーディオ信号を聞こえ、右受話器２０内で左チャンネルオーディオ入力端子５１が入力したオーディオ信号を聞こえる。これにより、本考案のイヤホン１００の左／右受話器１０、２０の内部では、それぞれ正常的な環境下での聴音効果を模擬したので、ユーザが空前のリアルで、自然な聴音感受を体験することができる。そこで、ユーザがイヤホン１００を使用する時に、イヤホン１００が出した音は、自然な声のように耳の中に入って、頭の上に現れなく、且つ非常に広くて大げさにならなく、目の前の所定範囲内に存在するように自然に聞き取られる。
【００２３】
さらに、イヤホン１００は、左スイッチ６１、右スイッチ６２及びデュアルチャンネル切換器６０を含む。左スイッチ６１は、左チャンネルオーディオ入力端子５１と第三分周器７３との間に電気的に接続されて、サブ右スピーカー２２の起動を制御する。右スイッチ６２は、右チャンネルオーディオ入力端子５２と第四分周器７４との間に電気的に接続されて、サブ左スピーカー１２の起動を制御する。デュアルチャンネル切換器６０は、左スイッチ６１と右スイッチ６２とに電気的に接続されて、左スイッチ６１及び右スイッチ６２のオン／オフを同時に制御する。本実施形態において、デュアルチャンネル切換器６０は、イヤホン１００のケーブルに設けられたので、ユーザの操作が非常に便利である。
【００２４】
左スイッチ６１、右スイッチ６２及びデュアルチャンネル切換器６０によって、本考案のイヤホン１００は音質切換機能を有するようになる。ユーザは、イヤホン１００のサブ右スピーカー２２及びサブ左スピーカー１２の機能を使用したくない場合、デュアルチャンネル切換器６０をオフさせて、従来のイヤホンの音響効果を使用することができる。従って、本考案のイヤホン１００は、従来のイヤホンの音響効果及び人々が正常的な環境下でのリアルで、自然な聴音効果を兼ね備えている。
【００２５】
具体的には、図３及び図４に示すように、左受話器１０の内部には、第一導管１３及び第二導管１４がさらに設けられている。第一導管１３は、メイン左スピーカー１１と左受話器１０の外面１５との間に設けられて、メイン左スピーカー１１が発生したオーディオ信号を左受話器１０の外部へ導出して、ユーザの耳中まで伝送する。第二導管１４は、サブ左スピーカー１２と左受話器１０の外面１５との間に設けられて、サブ左スピーカー１２が発生したオーディオ信号を左受話器１０の外部へ導出して、ユーザの耳中まで伝送する。第二導管１４の長さＬ２は、第一導管１３の長さＬ１のＮ倍である。前記Ｎは、１より大きい又は１に等しい数字である。言い換えれば、リアルな聴音効果を得るために、メイン左スピーカー１１とサブ左スピーカー１２は、左受話器１０のキャビティ内で互いにずらして設けられている。
【００２６】
同様に、右受話器２０の内部には、第三導管２３及び第四導管２４が設けられている。第三導管２３は、メイン右スピーカー２１と右受話器２０の外面２５との間に設けられて、メイン右スピーカー２１が発生したオーディオ信号を右受話器２０の外部へ導出して、ユーザの耳中まで伝送する。第四導管２４は、サブ右スピーカー２２と右受話器２０の外面２５との間に設けられて、サブ右スピーカー２２が発生したオーディオ信号を右受話器２０の外部へ導出して、ユーザの耳中まで伝送する。第四導管２４の長さＬ４は、第三導管２３の長さＬ３のＮ倍である。前記Ｎは、１より大きい又は１に等しい数字である。リアルな聴音効果を得るために、メイン右スピーカー２１とサブ右スピーカー２２は、右受話器２０のキャビティ内で互いにずらして設けられている。
【００２７】
以上、好適な具体例を挙げて本考案を説明してきたが、本考案は、上述の実施形態に限定されるものではなく、その要旨を逸脱しない範囲において、種々な変更又は取替えが可能であることは言うまでもない。この変更又は取替えに基づく様々な変形例も本考案の保護範囲に含まれることは明らかである。
【符号の説明】
【００２８】
１０    左受話器
１１    メイン左スピーカー
１２    サブ左スピーカー
１３    第一導管
１４    第二導管
１５    外面
２０    右受話器
２１    メイン右スピーカー
２２    サブ右スピーカー
２３    第三導管
２４    第四導管
２５    外面
３０    左オーディオ接続線
４０    右オーディオ接続線
５０    音源入力端子
５１    左チャンネルオーディオ入力端子
５２    右チャンネルオーディオ入力端子
６０    デュアルチャンネル切換器６０
６１    左スイッチ
６２    右スイッチ
７１    第一分周器
７２    第二分周器
７３    第三分周器
７４    第四分周器
１００  イヤホン
【図１】
0003211273.tif 000003
【図２】
0003211273.tif 000004
【図３】
0003211273.tif 000005
【図４】
0003211273.tif 000006